(57)【要約】【課題】施工後に金属サイディング材同士の継ぎ目および縦目地と横目地の交差点周辺のシワや歪が目立たず、さらに、縦目地と横目地の交差点周辺のシワや歪自体も軽減された金属サイディング材を提供すること。【解決手段】対向する一対の端部に配設された目地形成端部５と、この目地形成端部５と並行な並行目地６と、並行目地６に直交する直交目地７と、並行目地６と直交目地７によって区分けされた複数の区画面８が形成された金属板２を表面に有する金属サイディング材１であって、並行目地６は、複数の第１の並行目地６と、第１の並行目地６aよりも溝深さが深い複数の第２の並行目地６bとからなるとともに、隣り合う第２の並行目地６b同士の間には、第１の並行目地６aが少なくとも１以上形成され、目地形成端部５は、金属サイディング材１を組み付けた場合に、金属サイディング材１同士の継ぎ目９を形成するとともに、継ぎ目９位置に、前記第２の並行目地６bよりも溝深さが浅く、かつ、前記第１の並行目地６aよりも溝深さが深い目地６cを形成する。【選択図】図１
2011111782.tif 000002
【特許請求の範囲】
【請求項１】
対向する一対の端部に配設された目地形成端部と、この目地形成端部と並行な並行目地と、並行目地に直交する直交目地と、並行目地と直交目地によって区分けされた複数の区画面が形成された金属板を表面に有する金属サイディング材であって、
並行目地は、複数の第１の並行目地と、第１の並行目地よりも溝深さが深い複数の第２の並行目地とからなるとともに、隣り合う第２の並行目地同士の間には、第１の並行目地が少なくとも１以上形成され、
目地形成端部は、金属サイディング材を組み付けた場合に、金属サイディング材同士の継ぎ目を形成するとともに、継ぎ目位置に、前記第２の並行目地よりも溝深さが浅く、かつ、前記第１の並行目地よりも溝深さが深い目地を形成することを特徴とする金属サイディング材。
【請求項２】
区画面の各々は、膨出形状であることを特徴とする請求項１に記載の金属サイディング材。
【請求項３】
複数の区画面は、異なる膨出形状からなる２種以上の区画面の組合せによって構成されることを特徴とする請求項１に記載の金属サイディング材。
【請求項４】
直交目地の溝深さは、第１の並行目地の溝深さと等しいか、またはこれより浅いことを特徴とする請求項１から３のいずれか一項に記載の金属サイディング材。
【請求項５】
第２の並行目地は等間隔に形成され、さらに、目地形成端部とこれに近接する第２の並行目地との間隔は、隣り合う第２の並行目地同士の間隔と等しいことを特徴とする請求項１から４のいずれか一項に記載の金属サイディング材。
【請求項６】
目地形成端部が形成する目地の溝深さは、第２の並行目地の溝深さの、８／１０〜９／１０であることを特徴とする請求項１から５のいずれか一項に記載の金属サイディング材。
【発明の詳細な説明】
【技術分野】
【０００１】
本発明は、建物の外壁等に取り付けられる金属サイディング材に関するものである。
【背景技術】
【０００２】
従来より、発泡ポリウレタン等の外表面をエンボス加工を施した薄板状金属板で覆った金属サイディング材が知られている。金属サイディング材は、経年変化に対する耐久性が比較的高く、軽量で取り扱いやすく、また、エンボス加工によって様々な凹凸形状、模様等の意匠が簡単に表わせるという特徴から、例えば、建物の外壁等において広く利用されている。
【０００３】
金属サイディング材の表面の金属板は、一般的には、原板である金属帯板をエンボスロール、凹凸プレス型等の成形型によるエンボス加工が施される。これによって、金属板の表面に縦目地、横目地が形成され、凹凸による柄が付与される。
そして、施工時には、建物の外壁等に沿って複数の金属サイディング材を縦方向および横方向に並べて組み付ける必要があることから、例えば、金属板の対向する一対の端部は、折曲げ加工される。具体的には、例えば、一方側を凸部に、他方側を凹部に形成し、両者を嵌合させることで、複数の金属サイディング材を組み付けている。
【０００４】
しかしながら、このような金属サイディング材は、
１）エンボス加工時に、縦目地と横目地の交差点の周辺に、シワや歪が生じ易いこと、
２）組み付けられた金属サイディング材同士の継ぎ目位置の目地は、その他の位置の目地と比較して太陽光を受けた時に映し出される影の映り方が異なるため、外見上継ぎ目が目立ち、外観意匠性に悪影響を与えること、
３）金属サイディング材の成形時に発生する金属板の曲がりや反りによって、施工した際に金属サイディング材同士の継ぎ目に隙間が生じる場合があり、この場合、継ぎ目位置の横目地の影が違和感をもって一層目立ってしまうこと、
が改善すべき点として指摘される。
【０００５】
そして、このような金属サイディング材の関連技術として、例えば、特許文献１には、縦目地および横目地で区分けされた複数の区画面に異なる傾斜を形成し、この区画面を組み合わせて金属板の表面を形成することで、光の反射、影の映り方を変化させた金属製外壁材が提案されている。このような表面構造を有する金属製外壁材によれば、太陽光によって生じる影が複雑になることから、金属板の表面のシワや歪、金属サイディング材同士の継ぎ目箇所の横目地が目立たなくなるとも考えられる。
【０００６】
しかしながら、特許文献１の金属製外壁材は、傾斜した区画面を組み合わせてランダムな柄を形成することで影のつき方を変化させているため、金属板の表面の柄のデザインは大きく制約される。すなわち、特許文献１の方法によって、表面のシワや歪、金属サイディング材同士の継ぎ目箇所の横目地の違和感を隠そうとする場合、金属板の表面をランダムな柄とすることが必要不可欠である。したがって、特許文献１の方法は、例えば、金属板の表面にシンプルな幾何学模様を付与したい場合には採用することはできない。また、金属サイディング材の表面の柄をシンプルな幾何学模様とする場合には、上記１）２）３）の問題は一層顕在化することになる。
【０００７】
したがって、金属サイディング材の表面構造を複雑化することなく、シンプルな表面柄であっても、縦目地と横目地の交差点周辺のシワや歪や金属サイディング材同士の継ぎ目が目立たないようにするための方法が求められている。
【先行技術文献】
【特許文献】
【０００８】
【特許文献１】特開2009-167775号公報
【発明の概要】
【発明が解決しようとする課題】
【０００９】
本発明は、以上のような事情に鑑みてなされたものであり、従来の問題点を解決して、施工後に金属サイディング材同士の継ぎ目および縦目地と横目地の交差点周辺のシワや歪が目立たず、さらに、縦目地と横目地の交差点周辺のシワや歪自体も軽減された金属サイディング材を提供することを課題としている。
【課題を解決するための手段】
【００１０】
本発明は、上記の課題を解決するため、以下のことを特徴としている。
【００１１】
本発明の金属サイディング材は、第１に、対向する一対の端部に配設された目地形成端部と、この目地形成端部と並行な並行目地と、並行目地に直交する直交目地と、並行目地と直交目地によって区分けされた複数の区画面が形成された金属板を表面に有する金属サイディング材であって、並行目地は、複数の第１の並行目地と、第１の並行目地よりも溝深さが深い複数の第２の並行目地とからなるとともに、隣り合う第２の並行目地同士の間には、第１の並行目地が少なくとも１以上形成され、目地形成端部は、金属サイディング材を組み付けた場合に、金属サイディング材同士の継ぎ目を形成するとともに、継ぎ目位置に、前記第２の並行目地よりも溝深さが浅く、かつ、前記第１の並行目地よりも溝深さが深い目地を形成する。
【００１２】
第２に、区画面の各々は、膨出形状である。
【００１３】
第３に、複数の区画面は、異なる膨出形状からなる２種以上の区画面の組合せによって構成される。
【００１４】
第４に、直交目地の溝深さは、第１の並行目地の溝深さと等しいか、またはこれより浅い。
【００１５】
第５に、第２の並行目地は等間隔に形成され、さらに、目地形成端部とこれに近接する第２の並行目地との間隔は、隣り合う第２の並行目地同士の間隔と等しい。
【００１６】
第６に、目地形成端部が形成する目地の溝深さは、第２の並行目地の溝深さの、８／１０〜９／１０である。
【発明の効果】
【００１７】
第１の発明によれば、金属板の目地が、第１の並行目地、第２の並行目地および目地形成端部による継ぎ目位置の目地によって構成され、この継ぎ目位置の目地は、前記第２の並行目地よりも溝深さが浅く、かつ、前記第１の並行目地よりも溝深さが深く形成されているため、施工後に金属サイディング材同士の継ぎ目が目立つことがなく、外観意匠性に優れている。
【００１８】
第２の発明によれば、上記の効果に加え、区画面の各々は、膨出形状であるため、区画面の下方に映し出される影によって、並行目地と直交目地の交差点の周辺に生じたシワや歪および継ぎ目位置の目地の違和感をさらに軽減することができる。
【００１９】
第３の発明によれば、上記の効果に加え、複数の区画面は、異なる膨出形状からなる２種以上の区画面の組合せによって構成されるため、複雑に光の陰影を強調させることができ、並行目地と直交目地の交差点の周辺に生じたシワや歪および継ぎ目位置の目地の違和感をさらに軽減することができる。
【００２０】
第４の発明によれば、上記の効果に加え、直交目地の溝深さが交差直交する並行目地の溝深さと等しいか、またはこれより浅く形成されることになるため、エンボス加工の際に生じる、並行目地と直交目地の交差点の周辺のシワや歪を効果的に抑制することができ、金属サイディング材の品質がさらに向上する。
【００２１】
第５の発明によれば、上記の効果に加え、金属サイディング材を組み付けた際に、第２の並行目地と継ぎ目位置の目地が等間隔に配置されることになるため、外見上、映し出される影によって第２の並行目地と継ぎ目位置の目地を区別することが難しくなり、一層、継ぎ目位置の目地の違和感が軽減され、金属サイディング材の外観意匠性はさらに良好になる。
【００２２】
第６の発明によれば、さらに効果的に上記の効果を発揮させることができる。
【図面の簡単な説明】
【００２３】
【図１】本発明の金属サイディング材の正面、側面、下端面を例示する説明図である。
【図２】（Ａ）は、図１に示す領域Ａ’の拡大図であり、（Ｂ）は、図１に示す領域Ｂ’Ｃ’の拡大図である。
【図３】図１、図２（Ｂ）に示す目地形成端部の凹部と凸部が嵌合した状態を示す断面拡大図である。
【図４】（Ａ）（Ｂ）は、本発明の金属サイディング材における区画面の膨出形状を例示する断面概要図である。
【発明を実施するための形態】
【００２４】
本発明の実施形態について、図面を用いて説明する。なお、本発明において、金属板および金属サイディング材の「縦方向」とは、金属サイディング材の組み付け時における上下方向をいうものとする。また、金属板および金属サイディング材の「横方向」とは、金属サイディング材の組み付け時における左右方向をいうものとする。さらに、「横目地」とは、横方向に凹溝形成された目地をいい、「縦目地」とは、縦方向に凹溝形成された目地をいう。
【００２５】
図１は、本発明の金属サイディング材の正面、側面、下端面を例示する説明図である。図２（Ａ）は、図１に示す領域Ａ’の拡大図であり、図２（Ｂ）は、図１に示す領域Ｂ’および領域Ｃ’の拡大図である。
【００２６】
本発明の金属サイディング材１は、表面に金属板２を有し、この金属板２と裏面材３との間に充填層４が形成されたパネル状とすることができる。具体的には、金属板２は、材料として、例えば、鋼板、アルミニウム板、銅板や、これらの金属に亜鉛や、ニッケルなどを含有させた合金板などを使用することができ、充填層４には、例えば、ポリウレタンフォーム、ポリスチレンフォーム、ポリエチレンフォーム等の発泡樹脂、ロックウール、石膏ボードなど、一般に断熱材料として用いられている材料を用いることができる。
【００２７】
そして、図１に例示するように、本発明の金属サイディング材１表面の金属板２は、対向する一対の端部に目地形成端部５が配設されており、目地形成端部５を除く領域に、目地形成端部５と並行な並行目地６と、並行目地６に直交する直交目地７と、並行目地６と直交目地７によって区分けされた複数の区画面８を有している。
【００２８】
本発明の金属サイディング材１は、建物の外壁等の縦方向および横方向のいずれの方向にも組み付けることができ、目地形成端部５は、複数の金属サイディング材１を組み付けた場合に、金属サイディング材１の一端と他の金属サイディング材１の一端によって、金属サイディング材１同士の継ぎ目を形成するとともに、継ぎ目位置に目地を形成する。したがって、金属サイディング材１の組み付け方向に応じて、目地形成端部５を形成する金属板の端部を決定することができる。
【００２９】
具体的には、目地形成端部５は、例えば、図１に例示するように、金属板２の縦方向の両端部に曲げ加工を施すことができる。そして、図２（Ｂ）に例示するように、両端面のうちの一方側を凸部５a、他方側をこの凸部５aと嵌合可能な凹部５bとすることができる。
【００３０】
図１に例示するように、金属板２の横方向全長に亘って並行目地６を形成する場合には、図１および図２（Ｂ）に例示するように、金属板２の上端および下端に目地形成端部５を形成することで、金属サイディング材１の上端と他の金属サイディング材１の下端によって、建物の外壁等の縦方向に金属サイディング材１を組み付けることができ、この場合、この目地形成端部５において、金属サイディング材１同士の継ぎ目位置に横目地が形成される。
【００３１】
一方、例えば、図１に例示する金属サイディング材１を９０°回転させた状態を想定すれば、金属板２の縦方向全長に亘って並行目地６が形成された金属サイディング材１と考えることもできる。このように考えた場合、建物の外壁等の横方向に金属サイディング材１を組み付けることで、この目地形成端部５において金属サイディング材１同士の継ぎ目位置に縦目地が形成されることになる。
【００３２】
すなわち、本発明の金属サイディング材１においては、並行目地６は、金属板２の全長に亘って直線上に形成されているものとし、目地形成端部５によって形成される目地および、これと並行な並行目地６は、組み付け方法によっては横目地および縦目地のいずれにもなり得、これと対応するように、直交目地７も横目地および縦目地のいずれにもなり得るものである。なお、本発明においては、並行目地６および直交目地７は凹型のものとする。
【００３３】
以下、目地形成端部５によって形成される目地を、「継ぎ目位置の目地」という。
【００３４】
本発明においては、並行目地６は、複数の第１の並行目地６aと複数の第２の並行目地６bとからなり、隣り合う第２の並行目地６b同士の間には、第１の並行目地６aが１以上形成される。例えば、図１に例示する状態で金属サイディング材１を建物の外壁等に組み付けた場合には、並行目地６は横目地となる。
【００３５】
そして、図２（Ａ）に例示するように、本発明の金属サイディング材１においては、第２の並行目地６bの溝深さＤ２は、第１の並行目地６aの溝深さＤ１よりも深く形成されている。ここで、「溝深さ」とは、区画面８の頂部８aから溝底までの長さをいう。
【００３６】
図２（Ａ）に示す例では、第１の並行目地６aは断面Ｖ溝状に形成され、第２の並行目地６bは溝底が幅をもって平坦な凹溝状に形成されている。溝の形状は、図２（Ａ）に例示する形状に限定されるものではないが、第２の並行目地６bは溝底が平坦に形成されている場合には、外観上、第２の並行目地６bの影が効果的に映し出されることになる。
【００３７】
図３は、図２（Ｂ）に示す目地形成端部５の凸部５aと凹部５bが嵌合した状態を示す断面図である。
【００３８】
本発明の金属サイディング材１における目地形成端部５が、例えば、図１、図２（Ｂ）に例示する嵌合構造を有する場合、図２（Ｂ）の左に例示する金属板２下端の凹部５bに、図２（Ｂ）の右に例示する金属サイディング材１の上端面の凸部５aが入り込んで嵌合する。そして、図３に例示するように、目地形成端部５の凸部５aと凹部５bが嵌合すると、凹部５bの前端部５cが、凸部５aの基部５dと対峙する。そして、この対峙箇所において、金属サイディング材１同士の継ぎ目９が形成されるとともに、この継ぎ目９の位置には、図３に例示するように、前記第２の並行目地６bの溝深さＤ２よりも浅く、かつ、第１の並行目地６aの溝深さＤ１よりも深い、継ぎ目位置の目地６cが形成される。
【００３９】
図１、図２（Ｂ）に例示する嵌合構造の場合、図２（Ｂ）に例示するように、継ぎ目位置の目地６cの溝の幅は、前端部５cの長さと略一致し、溝深さは、区画面頂部８aから前端部５cまでの長さと略一致する。すなわち、継ぎ目位置の目地６cの溝深さは、図２（Ｂ）の左および図３に例示する深さＤ３となる。
【００４０】
なお、目地形成端部５の具体的な形状は図１、図２（Ｂ）および図３に例示される形状に限定されることはなく、複数の金属サイディング材１を組み付けた場合に、金属サイディング材１同士の継ぎ目９位置に、前記第２の並行目地６bよりも溝深さが浅く、かつ、前記第１の並行目地６aよりも溝深さが深い目地を形成することができる構造、形状に適宜設計することができる。
【００４１】
そして、本発明の金属サイディング材１における第１の並行目地６a、第２の並行目地６bおよび継ぎ目位置の目地６cは、以上のような特徴を有することから、溝深さの大小関係は、Ｄ２＞Ｄ３＞Ｄ１となる。
【００４２】
第１の並行目地６a、第２の並行目地６bおよび継ぎ目位置の目地６cの溝深さの具体的な数値は適宜設計することができるが、実際的には、継ぎ目位置の目地６cの溝深さＤ３は、第２の並行目地６bの溝深さＤ２の８／１０〜９／１０程度とするのが好ましい。
【００４３】
具体的には、例えば、第２の並行目地６bの溝深さＤ２を3.0〜4.0cm程度、継ぎ目位置の目地６cの溝深さＤ３を3.0cm程度、並行目地６aの溝深さＤ１を2.0〜3.0cm程度に設計することができる。また、前記の溝深さを前提として、第２の並行目地６bの溝底を平坦に形成する場合には、例えば、溝底の幅を3.0〜3.5cm程度に設計することができる。
【００４４】
そして、継ぎ目位置の目地６cは影のつき方に違和感を感じることが多いが、前記のとおり、本発明の金属サイディング材１は、金属板２の表面の第１の並行目地６a、第２の並行目地６bおよび継ぎ目位置の目地６cの溝深さが、Ｄ２＞Ｄ３＞Ｄ１となっているため、金属サイディング材１を建物の外壁等に組み付けた後に太陽光を受けた場合に、第２の並行目地６b近傍に映し出される影が、継ぎ目位置の目地６c近傍に映し出される影とは若干異なって映し出されるため、これがアクセントとなって、継ぎ目位置の目地６c近傍に映し出される影が目立ちにくく、違和感を感じさせることがない。さらに、金属板２の曲がりや反りによって金属サイディング材１同士の継ぎ目９に隙間が生じた場合にも、前記のとおり、第２の並行目地６b近傍に映し出される影がアクセントとなって、継ぎ目位置の目地６cの違和感が軽減される。したがって、金属板２の表面がシンプルな幾何学模様であっても、施工後の金属サイディング材１の外観意匠性は良好になる。
【００４５】
また、図１に例示するように、隣り合う第２の並行目地６bの間には、第１の並行目地６aを複数形成することができる。そして、金属板２に幾何学的な模様を形成する場合には、隣り合う第１の並行目地６a同士の間隔および隣り合う第１の並行目地６aと第２の並行目地６bの間隔を等しく形成することが好ましい。これによって、隣り合う第２の並行目地６b同士の間隔も等しく形成される。
【００４６】
さらに、図１に例示するように、対向する一対の端部に配設された目地形成端部５とこれに近接する第２の並行目地６bとの間隔は、隣り合う第２の並行目地６bの間隔と略等しいことが好ましい。これによって、金属サイディング材１を組み付けた際に、第２の並行目地６bと継ぎ目位置の目地６cが等間隔に配置されることになるため、外見上、映し出される影によって第２の並行目地６bと継ぎ目位置の目地６cを区別することが難しくなる。したがって、一層、継ぎ目位置の目地６cの違和感が軽減され、金属サイディング材１の外観意匠性は良好になる。
【００４７】
さらに、図１に例示するように、並行目地６と直交目地７によって区分けされた区画面８は、一般的には、正面から見た場合には長方形である。本発明の金属サイディング材１においては、区画面８の各々は、膨出形状であることが好ましく、具体的には、図１の断面図および図２（Ａ）（Ｂ）に例示するように、並行目地６方向に緩やかに傾斜した形状とすることができる。これによって、斜め上から照射される太陽光を受けて、区画面８の下方に影が映し出されるため、並行目地６と直交目地７の交差点の周辺に生じたシワや歪が目立たなくなる。さらに、区画面８の下方に映し出された影によって、継ぎ目位置の目地６cも覆うことが可能であるため、継ぎ目位置の目地６cの外見上の違和感をさらに軽減することができる。なお、区画面８の形状は、図１および図２に例示する形状に限定されることはない。
【００４８】
さらに、図２（Ａ）（Ｂ）、図３およびに図４（Ａ）（Ｂ）の断面概要図に例示するように、膨出する区画面８の頂部８aが区画面８の中心線Ｌから外れるように、各々の区画面８を上下非対称に形成することがより好ましい。すなわち、図４（Ａ）に示す例においては、図示する第１の並行目地６aを挟んで、区画面８の外側が急勾配で傾斜しているが、図４（Ｂ）に示す例においては、図示する第１の並行目地６aを挟んで、区画面８の外側が緩い傾斜で形成されている。すなわち、図４（Ａ）に示す例においては、第１の並行目地６aを挟んで隣合う区画面８の頂部８aの間隔Ｍは、図４（Ｂ）に示す例における間隔Ｍよりも広く形成されている。なお、図４（Ａ）（Ｂ）は例示に過ぎず、溝の形状などは図４（Ａ）（Ｂ）に示す形態に限定されない。また、第２の並行目地６bを挟む区画面８も図４（Ａ）（Ｂ）と同様に設計することができる。
【００４９】
したがって、例えば、図４（Ａ）（Ｂ）に例示する区画面８を、図１に例示するように、直交目地７を境に交互に組み合わせることによって区画面８の傾斜に変化が生まれ、また、これによって、隣合う区画面８の頂部８aの間隔Ｍに２種類の変化をつけることができるため、金属サイディング材１の組み付け後に太陽光を受けると、各々の区画面８下方にランダムな影を映し出し、光の陰影の差を強調するため、並行目地６と直交目地７の交差点の周辺に生じたシワや歪、ならびに、継ぎ目位置の目地６cおよびここに生じる隙間を目立ち難くすることができ、金属サイディング材１の外観意匠性がさらに向上する。もちろん、２種類以上の異なる膨出形状を有する区画面８を組み合わせることもできる。
【００５０】
さらに、図１に例示するように、直交目地７は、断面Ｖ溝状に形成することができるが、図１に例示する形状に限定されることはなく、適宜設計することができる。例えば、図１では、直交目地７の断面が、およそ１３０°程度の断面Ｖ溝状に形成されているが、これよりも鋭角であっても鈍角であってもよい。また、溝底が平坦に形成されてもよい。さらに、直交目地７の位置も特に限定されず、規則的に配置することもできるし、図１に例示するように、ランダムに配置することもできる。
【００５１】
また、図１に例示するように、直交目地７は、第１の並行目地６a、第２の並行目地６bおよび継ぎ目位置の目地６cのいずれとも交差し得るが、直交目地７の溝深さＥ（図示していない）は、第１の並行目地６aの溝深さＤ１と等しいか、またはこれより浅いことが好ましい。すなわち、この場合、目地の溝深さの大小関係は、Ｄ２＞Ｄ３＞Ｄ１≧Ｅとなる。具体的には、例えば、第２の並行目地６bの溝深さＤ２を3.0〜4.0cm程度、継ぎ目位置の目地６cの溝深さＤ３を3.0cm程度、第１の並行目地６aの溝深さＤ１を2.0〜3.0cm程度に設計した場合には、直交目地７の溝深さＥは、第１の並行目地６aの溝深さＤ１以下であることを条件として、2.0〜2.5cm程度とすることができる。
【００５２】
このように、直交目地７の溝深さＥを設定することで、直交目地７は、交差する目地（第１の並行目地６a、第２の並行目地６bおよび継ぎ目位置の目地６c）によらず、溝深さＥが、交差する目地の溝深さと等しいか、またはこれより浅く形成されることになる。このため、エンボス加工の際に生じる、並行目地６と直交目地７の交差点の周辺のシワや歪を効果的に抑制することができ、金属サイディング材１の品質がさらに向上する。
【００５３】
本発明の金属サイディング材１は、以上のような特徴を有するものであるが、その他の細部については様々な態様が可能である。例えば、金属板２には、適宜、塗装を施すことができ、例えば、フッ素焼付塗装は、経年変化による色落ちが少なく長期にわたって美観を保つことができるため好ましい。また、図３に例示するように、金属サイディング材１の組み付けに関わる両端面の凸部５a、凹部５bは防水性が確保されることが好ましく、例えば、防水パッキンやシーリング等を使用することもできる。
【００５４】
なお、並行目地６と直交目地７の形成方法は特に限定されず、例えば、ラインに前記成形型を備えたプレス成形機を設け、原板となる金属帯板をラインに乗せ、金属帯板の上方からプレス型にてプレスして形成することができるし、エンボスロールによって形成することもできる。
【符号の説明】
【００５５】
１  金属サイディング材
２  金属板
５  目地形成端部
６  並行目地
６a  第１の並行目地
６b  第２の並行目地
６c  継ぎ目位置の目地
７  直交目地
８  区画面
９  継ぎ目
【図１】
2011111782.tif 000003
【図２】
2011111782.tif 000004
【図３】
2011111782.tif 000005
【図４】
2011111782.tif 000006